(57)【要約】      （修正有）【課題】１本の指でティッシュをつかみ、引き出すことができるティッシュ箱収納ケースを提供する。【解決手段】ティッシュ箱収納ケースの第一手段は、ティッシュ箱と、前記ティッシュ箱を位置決めする複数の棚板を有したものであり、また、第二手段のティッシュ箱収納ケースは、第一手段の構成において、ティッシュを引き出すための取手部と、ティッシュを挟むための挟み部とを有するものであり、さらに、第三手段のティッシュ箱収納ケースは、第一手段または第二手段において、ティッシュの引き出し部にティッシュの形状を維持する形状維持部を有するものである。【選択図】図１
2020132267.tif 000002
【特許請求の範囲】
【請求項１】
ティッシュ箱と、前記ティッシュ箱を位置決めする複数の棚板を有したティッシュ箱収納ケース。
【請求項２】
ティッシュを引き出すための取手部と、ティッシュを挟むための挟み部とを有する請求項１記載のティッシュ箱収納ケース。
【請求項３】
ティッシュの引き出し部にティッシュの形状を維持する形状維持部を有する請求項１または請求項２記載のティッシュ箱収納ケース。
【発明の詳細な説明】
【技術分野】
【０００１】本発明はティッシュ箱からティッシュを容易に形状を維持したまま取り出せるティッシュ挟み付ティッシュ箱収納ケースに関する。
【背景技術】
【０００２】この種のティッシュ箱収納ケースとして、ティッシュ箱を収納するプラスチック製ボックスであって、ティッシュ取り出し口の反対側の面を、ティッシュ箱を入れる口より長くし、外側に折り曲げてあり、前記折り曲げ部の少なくとも上部の面に滑り止めを設け先端に丸みを付けてある。そして、その折り曲げてある部分を、こたつの天板の下とこたつ本体の上との間に差し込み使用することが開示されている（例えば、特許文献１参照）。
【先行技術文献】
【特許文献】
【０００３】
【特許文献１】実用新案登録第３１８２７１４号
【発明の概要】
【発明が解決しようとする課題】
【０００４】  上記のティッシュ箱収納ケースによれば、収納箱から２本の指を使って、ティッシュをつかむ動作で的確に取り出せるという点で多くのユーザーから好評を博している。しかし、２本の指が使えない場合はティッシュをつかみ、引き出すことができないという問題点があった。【０００５】  本発明はティッシュの形状の違いとは無関係に、指１本を用いティッシュに接触することなく、ティッシュを自動で挟持して締結対象から確実に取り外すことができる使い勝手に優れたティッシュ挟みを有するティッシュ箱収納ケースを提供することにある。また、とくに挟み歯で狭持される周囲の厚み寸法が柔軟で薄いものであっても、ティッシュ引き出し時には、ティッシュに接触することなく身体腕指によるティッシュつかみ動作を極限まで減少した１回の動作で確実に対象箱から取り外すことができるティッシュ挟みを有するティッシュ箱収納ケースを提供することにある。
【課題を解決するための手段】
【０００６】  本発明に係るティッシュ箱収納ケースの第一手段は、ティッシュ箱と、前記ティッシュ箱を位置決めする複数の棚板を有したものである。
また、同第二手段のティッシュ箱収納ケースは、第一手段の構成において、ティッシュを引き出すための取手部と、ティッシュを挟むための挟み部とを有するものである。さらに、同第三手段のティッシュ箱収納ケースは、第一手段または第二手段において、ティッシュの引き出し部にティッシュの形状を維持する形状維持部を有するものである。
【発明の効果】
【０００７】  本発明においては、ティッシュ上端が引き出し時に形状変化した状態のティッシュであっても、ティッシュ上端を的確に自動挟持し、引き出し方向へ並行操作して、収納対象から確実に取り出すことができる。
【図面の簡単な説明】
【０００８】
【図１】本発明の実施の形態に係るティッシュ箱の正面図である。
【図２】図１におけるＡ−Ａ線断面図である。
【図３】同実施の形態に係るティッシュ箱の内部の展開詳細図である。
【図４】同実施の形態に係るティッシュ箱の内部ティッシュ箱設置図である。
【図５】図４におけるａ‐ａ線の内部挟み部ないし取手部の構造図である。
【図６】図４におけるａ‐ａ線の内部挟み部ないし取手部の側面図である。
【図７】図４におけるａ‐ａ線の内部挟み部ないし取手部の上面図である。
【図８】図４におけるａ‐ａ線の内部挟み部ないし取手部の詳細図である。
【図９】図４における内部構造の詳細図である。
【図１０】同実施の形態に係るティッシュ箱の設置と取手傾斜の様子である。
【図１１】図１０における丸線の挟み部ないし取手部の初期側面図である。
【図１２】図１０における丸線の挟み部ないし取手部の移動側面図である。
【図１３】図１１における丸線のティッシュを掴む挟み部詳細側面図である。
【図１４】図１１における丸線のティッシュを掴み後の挟み部移動図である。
【図１５】図１１におけるティッシュ降下と上挟みが戻る押柄の様子である。
【発明を実施するための形態】
【０００９】  図１ないし図９において、本発明に関するティッシュ箱の実施例を示す。図２、図３において、挟み部通路口に通路上蓋板反発磁石設置面７６ないし通路上蓋挟み初期配置面７７を有した通路蓋Ｉに連結したティッシュ箱設置部Ｊの底板８４に、引き出されたティッシュ上端部の引口窓としてティッシュ引口窓部Ｋの底板９７を連結して構成する。連結したティッシュ引口窓部Ｋは、上挟み開閉ゴムＥと挟み連結ゴムＦで上下に開閉揺動可能に第一アーム３８ないし第二アーム４６を連結したティッシュ挟み部Ｄと連結した半回転軸Ｃをおよそ９０度まで前倒傾斜揺動可能の取手Ｈと傾斜蓋Ｂに連結して構成する。傾斜蓋Ｂは、引っ張ることが可能な状態に引力蓋Ａと引力用の傾斜ゴムＧで連結して構成する。
【００１０】  図２ないし図９において、本発明に関するティッシュ箱の実施例を示す。図８において、引力蓋Ａに有した引力蓋上板１は、引力ゴムＬを連結する引力ゴム穴２を有した引力蓋上板１は、引力蓋ティッシュ挿入口３を形成し、引力蓋前板４と連結して形成する。引力蓋前板４は、取手前板６６と連結する引力蓋連結板５と連結して形成する。引力蓋連結板５は引力蓋逃板６を形成する。引力蓋逃板６は、引力蓋逃板底面７に揺動防止の引力蓋固定板８を連結して形成し、引力蓋固定板上面９と連結して構成する。固定部は、蝶番や伸縮ゴムなどの揺動可能の材具で半回転揺動可能に連結する。
【００１１】  図８において、取手Ｈと同時に傾斜する傾斜蓋Ｂを形成する。傾斜蓋上板１０は、取手Ｈを半回転軸Ｃに連結した挟み部Ｄを同時に引っぱるための傾斜ゴムＧを連結する傾斜蓋上板傾斜用連結ゴム穴１１を形成する。傾斜蓋上板１０は、垂直に傾斜蓋中板１２を形成して構成する。傾斜中蓋１２に傾斜蓋傾斜ゴム穴１３を形成し、傾斜中板底面１４を傾斜蓋下板１５の傾斜蓋上面１８と連結して形成する。傾斜蓋下板１５は、半回転軸Ｃと挟み部Ｄを連結する押柄５６を通す傾斜蓋押柄穴１６ないし上挟み４２を降下するために連結する、上挟み開閉ゴム連結用の傾斜蓋上挟み開閉ゴム穴１７を形成し、傾斜蓋底面１９に回転移動の圧力逃げ面、傾斜蓋補助板２０の傾斜蓋補助板上面２１と連結して形成する。傾斜蓋補助板２０は、傾斜蓋補助板底面２２を回転移動揺動防止の固定部として、傾斜蓋固定板２３の傾斜蓋固定板上面２４と連結して形成する。固定部は、蝶番や伸縮ゴムなどの揺動可能の材具で半回転揺動可能に連結する。
【００１２】  図８において、半回転軸の詳細を示す。半回転軸Ｃは、半回転軸上板２５に半回転軸上板傾斜ゴム穴２６を形成し、挟み部Ｄと半回転軸Ｃを連結する押柄５６を通す半回転軸押柄配置筒穴２７を形成する。半回転軸上板２５は、半回転軸補助板２９の半回転軸補助板上面３０と連結して形成する。半回転軸補助板２９は、半回転軸補助板底面３１を半回転軸固定板３２の半回転軸固定板上面３３と連結して構成する。半回転軸の固定部となる半回転軸固定板３２は、傾斜蓋Ｂの固定部、傾斜蓋固定板２３と連結して構成する。固定部は、蝶番や伸縮ゴムなどの揺動可能の材具で半回転揺動可能に連結する。
【００１３】  図４ないし図８において、挟み部の詳細を示す。図８において、上挟み開閉ゴムＥは、第一アーム３８に形成した上挟み４２に有した上挟み開閉ゴム穴４４に通し、第二アーム４６に有した第二アーム連結面上挟み開閉ゴム穴３７に連結して構成する。取手傾斜と同時に引っ張り力で伸縮するように、半回転軸上挟み開閉ゴム穴２８と傾斜蓋Ｂの傾斜蓋挟み開閉ゴム穴を通り取手Ｈまで連結する。
【００１４】  第一アーム３８は、あご部３９を有し、後端側に伸縮バネ穴４０を有した開閉揺動面を形成する。開閉揺動面は、両アーム連結ゴムＦが第三アームへと経由する第一アーム連結部４１を形成する。あご部前側に、前記両アーム連結ゴムＦを通すための両アーム連結ゴム穴４５を形成し、前端側は降下時に下挟み５１と確実にティッシュを掴むための上挟み磁石設置面４３を有した上挟み４２を形成して構成する。上挟み４２は、上挟み開閉ゴム穴４４を有し、取手傾斜時に第二アーム連結面上挟み開閉ゴム穴３７を通り、取手Ｈに有した取手上挟み開閉ゴム穴６４まで連結した上挟み開閉ゴムＥが引っ張られると同時に、引力により第一アーム３８に下方向へと圧力がかかり、伸縮バネ５９が縮むことで降下される。
【００１５】  第二アーム４６は、後端側に、挟み両アームを連結する両アーム連結ゴムＦを通すための両アーム連結ゴム穴４８を有し、伸縮バネ５９と伸縮バネ固定金属５８を設置する伸縮バネ金属固定面４７を形成する。伸縮バネ金属固定面４７の後面、第二アーム連結面形成部４９から垂直に第二アーム連結面３４を形成する。第二アーム連結面３４は、第二アーム３８と両アーム連結ゴムＦで連結するための第二アーム連結面両アーム連結ゴム穴３５を形成し、下面に第二アーム押柄配置筒穴３６を形成する。底端面に、上挟み開閉ゴムＥを通すための第二アーム連結面上挟み開閉ゴム穴３７を形成して構成する。前端側は、磁石設置面５１を有した下挟み５０を形成して構成する。
【００１６】  第三アーム５２は、第一アーム連結部４１と連結し、両アーム連結ゴムＦを通すための第三アームゴム穴５４を有した第三アーム下板５３を形成し、上挟み第一アーム３８の揺動補助面として形成し、第二アーム連結面３４に連結して構成する。第一第二両アームと第三アーム５２に連結される両アーム連結ゴムＦは、伸縮バネ５９とバネ固定金属４７を第一第二両アームに設置使用をしない場合でも、第一アーム３８に有する上挟み４２が第二アーム４６に固定される下挟み５０と初期に接面せず、開いた状態になるように、第二アーム４６の後端側に第二アーム連結面上挟み開閉ゴム穴３７に連結する。ゴムの伸縮圧力により、第一アーム３８へ上にかかった引力が、第三アーム５２方向へと引力がかかり、第一アーム３８と上挟み４２を持ち上げる。そのため、使用する材具として、太糸やひもなどが挙げられるが、太伸縮ゴムが望ましい。
【００１７】  押柄配置丸筒５５は、押柄５６を通して配置し、半回転軸Ｃの半回転軸押柄丸筒穴２７と、傾斜蓋Ｂの傾斜蓋押柄丸筒穴１６に連結して構成する。押柄５６は、押柄先端５７を取手前板６６の背面に結合し、取手Ｈの傾斜とともに押柄が前後移動可能に配置する。押柄５６は、伸縮バネ５９と上挟み４２が付勢開示された状態で配置してある。
【００１８】  図８において、取手部Ｈの詳細を示す。取手Ｈは、引力前倒傾斜用として箱形に構成され、取手背面板６０上面部に、取手と同時傾斜するために傾斜蓋Ｂの傾斜蓋下板１５を連結して構成する。上挟み開閉ゴムＥと傾斜ゴムＧを通す取手背面板傾斜ゴム上穴６１ないし取手背面板傾斜ゴム下穴６２を形成し、下面部に押柄５５を連結する取手押柄穴６３ないし上挟み開閉ゴムＥを連結する取手上挟み開閉ゴム穴６４を形成した取手背面板６０は、取手上板６５と連結して形成する。取手上板６５は、引力蓋Ａの引力蓋連結板５と結合する取手前板６６と連結して形成する。取手前板６６は、取手下板７０と連結して構成し、取手前板傾斜ゴム上穴６６ないし取手前板傾斜ゴム下穴６７を形成する。押柄先端５７を取手押柄連結部６９の背面側に連結して形成する。取手下板７０は、取手底板７１と連結し取手底板７１は、取手背面板６０を連結して構成する。
【００１９】  図９ないし図１０において、本発明に関するティッシュ箱内部の実施例を示す。図９において、通路蓋Ｉの詳細を示す。通路上板７２は、挟み部Ｄの配置通路となる通路蓋Ｉの通路上蓋７２に、引力ゴムＬを連結する通路蓋引力ゴム穴７３と、ティッシュ挿入用に通路蓋ティッシュ挿入口７４を形成し、上面部７５に挟み部通路屏を構成する。挟み部通路屏は、上面部７５の中央部に通路上板挟み初期配置面７７を有し、上端挟み部Ｄが半回転軸Ｃと同時に後方向に移動し、上挟み４２が磁石に反して下挟み５０へ降下するための通路上板反発磁石設置面７６を形成する。下面部には、取手Ｈの前傾斜と同時に引っ張られる、引力蓋上板１の引力蓋上板引力ゴム穴２に通す引力ゴムＬを連結する通路蓋引力ゴム穴７３を形成し、通路上板底面８０を背面板８１の背面板上側面８２連結して構成する。
【００２０】  図９において、通路蓋Ｉに形成する通路屏は、口字に溝を形成した通路屏底板７８と通路屏正面板７９を垂直に連結して構成する。
【００２１】  図９において、ティッシュ箱設置部Ｊの詳細を示す。背面板８１は背面板上面８２を通路上板底面８０と連結して構成する。背面板８１は、上部にティッシュ引口窓部Ｋの連結面となる、連結上板９３を連結して形成する。連結上板９３は、同様に引口窓部Ｋ部との連結面となる連結下板９４の連結下板上側面９６と連結して形成し、連結下板９４の連結下板底面９５を底板側面８５と連結して構成する。背面板底側面８３は、底板８４の底板後端部８６と垂直に連結して形成し、底板側面８５をティッシュ引口窓部Ｋの底板後側面１００と連結して構成する。底板８４の上面に、ティッシュ置場正面８７とティッシュ置場背面８８の底板となるティッシュ置場底面８９を連結して構成し、前側部は、ティッシュ底置場となるティッシュ底置場正面９０と、ティッシュ底置場背面９１を連結して形成したティッシュ底置場底面９２を連結して構成する。底板８４の底板側面８５は、降下口底板９７と連結して構成する。
【００２２】  図９において、ティッシュ引口窓部Ｋの詳細を示す。連結下板９４は、底面を降下口底板９７の降下口底板後側面１００と連結して形成する。降下口底板９７は、ティッシュ降下口となる降下口９８を形成し、降下口底板前側面９９を傾斜中蓋Ｂと連結して構成する。連結下板９４の前面上部は、引き口窓板１０８の上面、引き口窓板連結上側面１１０を連結して形成し、前面中央部は、引き口窓連結板支え１０５の引き口窓連結板支え後側面１０７と連結して構成する。引き口窓連結板支え１０５は、引き口窓連結板支え前側面１０６を、引き口窓支え正面板１０１と連結して形成する。引き口窓支え正面板１０１の上部、引き口窓支え正面板上部１０２に引き口窓連結板１０３を連結して形成する。引き口窓連結板１０３は、引き口窓板底面１０９と連結して形成し、図１０のように通路上板７２の閉時における蓋置場として、ティッシュ引き口部窓板１０８に引き口部上蓋支えアーム１１１を連結して構成する。ティッシュ引き口部支え前板１０３の引き口窓連結板支え側面１０４は、引き口窓連結板支え１０５と連結し、真ん中面を引き口窓連結板支え前側面１０６と引き口窓支え上面１０２は、引き口窓連結板１０３と連結して形成する。
【００２３】  図１０ないし図１４において、本発明に関するティッシュ箱のティッシュ挟み部と取手部の実施例を示す。斜線部は伸縮ゴムを示す。回転部と固定部の間には揺動の材具として、例として蝶番やゴムなどの揺動具を回転移動可能にとりつけ、下部は固定されている。図１０において、ティッシュ箱の設置の様子を示す。ティッシュ箱を挿入口から入れ、取手Ｈに取り付けた引力蓋Ａのレバーを手前に傾ける傾斜の様子を示す。図１１において、ティッシュをつかむために配置された挟み部Ｄの初期配置の様子を示す。図１２、図１３において、挟みがティッシュをつかみ、回転移動する様子を示す。
【００２４】  本開発における挟み部Ｄは、ティッシュをつかむために、ティッシュを確実につかむために磁石を設置することで、挟む対象が柔軟で薄いものでも挟めるように磁石を設置した上挟み４２が開閉する様子を示す。上挟み４２が上下に開閉し、第二アーム４６と下挟み５０は固定されている。上挟み４２がゴムの力によって開閉揺動し、上挟み４２が初期に開いている状態にするために第三アーム５２を介して形成する。第三アーム５２と挟み連結ゴムを介しているため、上挟み４２が初期に開いている状態で揺動するように構成する。本発明は、念のために第一アーム４６と第二アーム４６に、伸縮バネとバネ固定金属を取り付けて構成しているが、本来は取り付けなくても初期は上挟みが開いた状態に揺動する。類似品としてせんたく挟みがあるが、せんたく挟みは初期状態として挟み部が締結された状態のものであるが、上記のティッシュ挟みは、挟み部が開いた状態に形成される。伸縮ゴムやひも、糸などの材料を上挟み４２に介し、引っ張ることで、上挟み４２を上下に揺動し、上挟み４２を第二アーム４６に固定された下挟み５０まで閉めることができる。取手Ｈまで連結して取り付けたレバー取手を倒して傾斜し、引いたゴムを伸縮することにより、もとに戻すため手を放すことで取手Ｈに取り付けた押柄５６が、前移動する押圧力で上挟み４２が確実に開くように、本発明において、取手Ｈに押柄５６を介して構成している。
ゴムの伸縮により、上挟み４２が上に開いた状態に戻るため、対象物が決まった場合に使用することが可能である。せんたく挟みは、圧力で対象物がある程度重さがある挟みに使用されており、柔軟なティッシュのような対象物だと形が変形し、やぶれてしまう可能性があるため、それを防止するために、本発明におけるティッシュ挟みは、最適な圧力をかけるために磁石を両挟みに設置して形成する。そのため、挟む対象が柔軟なものでも挟めることが可能に構成される。
【００２５】  図１４において、挟み部Ｄの押柄５６開示を示す。レバーを倒すように前傾斜した取手Ｈをもとの位置に戻すことで、取手Ｈに結合した押柄が戻る圧力に伴い、前に移動し、移動された押柄先端５７が押された圧力で同時に上挟みを押し上げ、ティッシュが降下する様子を示す。
【符号の説明】
【００２６】  Ａ  引力蓋
Ｂ  傾斜蓋
Ｃ  半回転軸
Ｄ  挟み部
Ｅ  上挟み開閉ゴム
Ｆ  両アーム連結ゴム
Ｇ  傾斜ゴム
Ｈ  取手
Ｉ  通路蓋
Ｊ  ティッシュ箱設置部
Ｋ  ティッシュ引口窓部
Ｌ  引力ゴム
１  引力蓋上板
２  引力蓋引力ゴム穴
３  引力蓋ティッシュ挿入口
４  引力蓋前板
５  引力蓋連結板
６  引力蓋逃板
７  引力蓋逃板底面
８  引力蓋固定板
９  引力蓋固定板上面
１０  傾斜蓋上板
１１  傾斜蓋上板傾斜用連結ゴム穴
１２  傾斜蓋中板
１３  傾斜蓋傾斜ゴム穴
１４  傾斜蓋中板底面
１５  傾斜蓋下板
１６  傾斜蓋押柄穴
１７  傾斜蓋上挟み開閉ゴム穴
１８  傾斜蓋上面
１９  傾斜蓋底面
２０  傾斜蓋補助板
２１  傾斜蓋補助板上面
２２  傾斜蓋補助板底面
２３  傾斜蓋固定板
２４  傾斜蓋固定板上面
２５  半回転軸上板
２６  半回転軸上板傾斜ゴム穴
２７  半回転軸押柄配置筒穴
２８  半回転軸上挟み開閉ゴム穴
２９  半回転軸補助板
３０  半回転軸補助板上面
３１  半回転軸補助板底面
３２  半回転軸固定板
３３  半回転軸固定板上面
３４  第二アーム連結面
３５  第二アーム連結面両アーム連結ゴム穴
３６  第二アーム連結面押柄丸筒用穴
３７  第二アーム連結面上挟み開閉ゴム穴
３８  第一アーム
３９  あご部
４０  伸縮バネ穴
４１  第一アーム連結部
４２  上挟み
４３  上挟み磁力設置面
４４  上挟み開閉ゴム穴
４５  両アーム連結ゴム穴
４６  第二アーム
４７  バネ支え金属固定穴
４８  挟み連結ゴム穴
４９  第二アーム連結面形成部
５０  下挟み
５１  下挟み磁力設置面
５２  第三アーム
５３  第三アーム下板
５４  第三アームゴム穴
５５  押柄配置筒
５６  押柄
５７  押柄先端
５８  バネ固定金属
５９  伸縮バネ
６０  取手背面板
６１  取手背面板傾斜ゴム上穴
６２  取手背面板傾斜ゴム下穴
６３  取手押柄穴
６４  取手上挟み開閉ゴム穴
６５  取手上板
６６  取手前板
６７  取手前板傾斜ゴム上穴
６８  取手前板傾斜ゴム下穴
６９  取手押柄連結部
７０  取手下板
７１  取手底板
７２  通路上蓋
７３  通路蓋引力ゴム穴
７４  通路蓋ティッシュ挿入口
７５  通路蓋上部
７６  通路上板反発磁石設置面
７７  通路初期配置面
７８  通路屏底板
７９  通路屏正面板
８０  通路上板底面
８１  背面板
８２  背面板上面
８３  背面板底面
８４  底板
８５  底板側面
８６  底板後端部
８７  ティッシュ置場正面
８８  ティッシュ置場背面
８９  ティッシュ置場底面
９０  ティッシュ底置場正面
９１  ティッシュ底置場背面
９２  ティッシュ底置場底面
９３  連結上板
９４  連結下板
９５  連結下板底面
９６  連結下板上側面
９７  降下口底板
９８  降下口
９９  降下口底板前側面
１００  降下口底板後側面
１０１  引き口窓支え正面板
１０２  引き口窓支え正面板上部
１０３  引き口窓連結板
１０４  引き口窓連結板底面
１０５  引き口窓連結板支え
１０６  引き口窓連結板支え前側面
１０７  引き口窓連結板支え後側面
１０８  引き口窓板
１０９  引き口窓板底面
１１０  引き口窓板連結上側面
１１１  通路蓋支えアーム
【図１】
2020132267.tif 000003
【図２】
2020132267.tif 000004
【図３】
2020132267.tif 000005
【図４】
2020132267.tif 000006
【図５】
2020132267.tif 000007
【図６】
2020132267.tif 000008
【図７】
2020132267.tif 000009
【図８】
2020132267.tif 000010
【図９】
2020132267.tif 000011
【図１０】
2020132267.tif 000012
【図１１】
2020132267.tif 000013
【図１２】
2020132267.tif 000014
【図１３】
2020132267.tif 000015
【図１４】
2020132267.tif 000016
【手続補正書】
【提出日】令和1年6月18日(2019.6.18)
【手続補正１】
【補正対象書類名】明細書
【補正対象項目名】０００８
【補正方法】変更
【補正の内容】
【０００８】
【図１】本発明の実施の形態に係るティッシュ箱の正面図である。
【図２】図１におけるＡ−Ａ線断面図である。
【図３】同実施の形態に係るティッシュ箱の内部の展開詳細図である。
【図４】同実施の形態に係るティッシュ箱の内部ティッシュ箱設置図である。
【図５】図４におけるａ‐ａ線の内部挟み部ないし取手部の構造図である。
【図６】図４におけるａ‐ａ線の内部挟み部ないし取手部の側面図である。
【図７】図４におけるａ‐ａ線の内部挟み部ないし取手部の上面図である。
【図８】図４におけるａ‐ａ線の内部挟み部ないし取手部の詳細図である。
【図９】図４における内部構造の詳細図である。
【図１０】同実施の形態に係るティッシュ箱の設置と取手傾斜の様子である。
【図１１】図１０における丸線の挟み部ないし取手部の初期側面図である。
【図１２】図１０における丸線の挟み部ないし取手部の移動側面図である。
【図１３】図１１における丸線のティッシュを掴む挟み部詳細側面図である。
【図１４】図１１における丸線のティッシュを掴み後の挟み部移動図である。